(57)【要約】【課題】１スロット前の干渉雑音電力推定値が存在しない場合でも、高精度に干渉雑音電力推定するＣＤＭＡ受信装置の提供。【解決手段】無線リンクの確立直後にフィンガーｎの１スロット前の干渉雑音電力推定値が存在しない場合、切り替え回路１１２は現スロット内干渉雑音電力１０７−ｎを過去スロット干渉雑音電力保存用メモリ１１０に対して出力するよう、スロット内干渉雑音電力出力制御回路１１５によって制御される。１スロット前の干渉雑音電力は推定されていないが、過去スロットにおいて一度は推定された干渉雑音電力が存在する場合、過去スロット干渉雑音電力保存用メモリ１１０は最後に有効であったスロットの干渉雑音電力を保持する。過去スロット干渉雑音電力保存用メモリ１１０からの干渉雑音電力１１１−ｎと現スロット内干渉雑音電力推定値１０７−ｎとの間でスロット間平均化処理を行う。【選択図】　　　図１【特許請求の範囲】
【請求項１】
各フィンガーについて受信信号の信号電力と干渉雑音電力を推定し、これらにより推定される信号電力対干渉雑音電力比を用いて復調信号の合成を行うＣＤＭＡ受信装置であって、
各フィンガーについて、現スロット内における干渉雑音電力を推定する干渉雑音電力計算手段と、
各フィンガーについて、現スロット以前で最後に有効であったスロットでの干渉雑音電力推定値が記憶される記憶手段と、
前記干渉雑音電力計算手段により推定された現スロット内における干渉雑音電力と、前記記憶手段に記憶された干渉雑音電力推定値とを平均化する平均化手段と、
各フィンガーが無線リンク確立後、どのスロットで有効になったかを判定する判定手段と、
前記判定手段の判定結果にしたがって前記干渉雑音電力計算手段で推定された現スロット内における干渉雑音電力を前記記憶手段に記憶させる切り替え手段とを含むことを特徴とするＣＤＭＡ受信装置。
【請求項２】
前記切り替え手段は、前記判定手段により前記フィンガーが無線リンク確立後はじめて有効になったと判定された場合に、前記干渉雑音電力計算手段で推定された現スロット内における干渉雑音電力を前記記憶手段に記憶させることを特徴とする請求項１記載のＣＤＭＡ受信装置。
【請求項３】
各フィンガーが一定時間連続して有効状態にあるか否かを判定する第２の判定手段と、
干渉雑音電力をフィンガー間で平均化する第２の平均化手段と、
前記第２の判定手段の判定結果に従って前記平均化手段で平均化された干渉雑音電力推定値を前記第２の平均化手段で平均化させる第２の切り替え手段と、
前記第２の判定手段の判定結果にしたがって前記平均化手段の平均化結果と前記第２の平均化手段の平均化結果とのいずれかを出力する第３の切り替え手段とを含むことを特徴とする請求項１または２記載のＣＤＭＡ受信装置。
【請求項４】
前記第２の切り替え手段は、前記第２の判定手段にてフィンガーが一定時間連続して有効状態にあると判定された場合に、そのフィンガーの干渉雑音電力推定値を前記第２の平均化手段で平均化させ、
前記第３の切り替え手段は、前記第２の判定手段にてフィンガーが一定時間連続はしないが有効状態にあると判定された場合に、そのフィンガーの干渉雑音電力推定値に代えて前記第２の平均化手段での平均化結果を出力することを特徴とする請求項３記載のＣＤＭＡ受信装置。
【請求項５】
前記記憶手段には、各フィンガーについて、１スロット前の干渉雑音電力推定値のみが記憶され、
各フィンガーが一定時間連続して有効状態にあるか否かを判定する第３の判定手段と、
前記第３の判定手段での判定結果にしたがって前記平均化手段により平均化された干渉雑音電力推定値を出力するか否かを切り替える第４の切り替え手段とを含むことを特徴とする請求項１または２記載のＣＤＭＡ受信装置。
【請求項６】
前記第４の切り替え手段の出力を基に信号電力対干渉雑音電力比を計算する信号電力対干渉雑音電力比計算手段と、前記信号電力対干渉雑音電力比計算手段による計算結果に基づき復調信号の合成を行う復調信号合成手段とが含まれ、
前記第３の判定手段での判定結果にしたがって前記復調信号を前記復調信号合成手段に出力する第５の切り替え手段を含むことを特徴とする請求項５記載のＣＤＭＡ受信装置。
【請求項７】
前記第４の切り替え手段は、前記第３の判定手段にて前記フィンガーが一定時間連続して有効状態にあると判定された場合に、前記平均化手段の出力を出力し、前記第３の判定手段にて前記フィンガーが一定時間連続して有効状態にないと判定された場合に、前記平均化手段により平均化された干渉雑音電力推定値を出力せず、
前記第５の切り替え手段は、前記第３の判定手段にて前記フィンガーが一定時間連続して有効状態にあると判定された場合に、前記復調信号を前記復調信号合成手段に出力し、前記第３の判定手段にて前記フィンガーが一定時間連続して有効状態にないと判定された場合に、前記復調信号を前記復調信号合成手段に出力しないことを特徴とする請求項５または６記載のＣＤＭＡ受信装置。
【請求項８】
前記記憶手段には、各フィンガーについて、１スロット前の干渉雑音電力推定値のみが記憶され、
設定された任意の同期タイミングを用いて受信信号の復調を行う復調手段と、前記復調手段によって復調された復調信号について現スロット内における干渉雑音電力を推定する第２の干渉雑音電力計算手段と、前記第２の干渉雑音電力計算手段により推定された現スロット内における干渉雑音電力と、前記記憶手段に記憶された干渉雑音電力推定値とを平均化する第３の平均化手段と、
各フィンガーが一定時間連続して有効状態にあるか否かを判定する第４の判定手段と、
前記第４の判定手段での判定結果にしたがって、前記平均化手段での平均化結果と前記第３の平均化手段での平均化結果とのいずれかを出力する第６の切り替え手段とを含むことを特徴とする請求項１または２記載のＣＤＭＡ受信装置。
【請求項９】
前記第６の切り替え手段は、前記第４の判定手段にてフィンガーが一定時間連続して有効状態にあると判定された場合に、前記平均化手段の出力を出力し、
前記第４の判定手段にてフィンガーが一定時間連続して有効状態にないと判定された場合に、前記第３の平均化手段の出力を出力することを特徴とする請求項８記載のＣＤＭＡ受信装置。
【発明の詳細な説明】
【０００１】
【発明の属する技術分野】
本発明は、ＣＤＭＡ受信装置に関し、特にＣＤＭＡ受信装置における干渉雑音電力の推定に関する。
【０００２】
【従来の技術】
ＣＤＭＡ（符号分割多元接続）通信方式による受信装置は、各フィンガーについて受信信号の信号電力と干渉雑音電力を推定し、これらにより推定される信号電力対干渉雑音電力比（ＳＩＮＲ）を復調信号の最大比合成時の重み付けとして用いる。ＳＩＮＲ推定精度の低下は最大比合成の精度を劣化させ、受信特性の劣化を引き起こすため、信号電力および干渉雑音電力の推定精度を向上させる必要がある。
【０００３】
信号電力や干渉雑音電力は通常、一定周期、例えばスロット単位で推定される。１スロット内における信号電力および干渉雑音電力の推定は、パイロット信号などの限られた測定区間を用いるために推定精度が低い。信号電力や干渉雑音電力の推定精度を向上させる方法として、１スロット内で求めた推定値を複数スロット間において平均化する技術があげられる。
【０００４】
しかしながら、安藤、佐和橋による「ＤＳ−ＣＤＭＡにおける複数パイロットブロックを用いる高精度チャネル推定法」（１９９６年電子情報通信学会　信学技報　ＲＣＳ９６−７２）（以下、文献１という）に記載されているように、信号電力におけるスロット間平均化による推定精度の向上は限定的なものである。これは、スロット間平均により受信信号に含まれる干渉雑音成分が抑圧される反面、レイリーフェージングによる信号電力の時間的変動が大きいため、フェージング追従性が低下するためである。
【０００５】
一方、干渉雑音電力は時間的にほぼ定常であるため、スロット間平均化処理による推定精度向上の効果は大きい。本発明では干渉雑音電力の推定精度を向上させることにより、ＳＩＮＲ推定精度を上げ、ＣＤＭＡ受信装置の特性劣化を防ぐことに着目する。
【０００６】
清尾、奥村、土肥による「ＤＳ−ＣＤＭＡの適応送信電力制御におけるＳＩＲ測定法の検討」（１９９６年電子情報通信学会通信ソサエティ大会　Ｂ−３３０）（以下、文献２という）に記載されているように、干渉雑音電力を複数スロット間で平均化して推定するよう構成された受信装置の一例を図８に示す。図８では、任意のフィンガー番号ｎ（ｎはＮ以下の自然数）について、１スロット前に推定された干渉雑音電力は１スロット前干渉雑音電力保存用メモリ８０９に格納されており、現スロット内で計算された干渉雑音電力８０７−ｎと、１スロット前に推定された干渉雑音電力８１０−ｎが干渉雑音電力スロット間平均化回路８０８−ｎによって平均化される。
【０００７】
【発明が解決しようとする課題】
しかしながら、受信装置が送信装置との間で無線リンクを確立した直後や、フィンガーが一旦無効状態になった後、有効になった場合には１スロット前の干渉雑音電力推定値は存在しない。なお、「フィンガーが有効」とは、該当フィンガーについて同期タイミングが検出される状態のことを指す。同様に、「フィンガーが無効」とは、該当フィンガーについて同期タイミングが検出されない状態のことを指す。
【０００８】
図８において、１スロット前の干渉雑音電力推定値が存在していない場合、１スロット前干渉雑音電力保存用メモリ８０９は干渉雑音電力を保持していない。このとき、干渉雑音電力スロット間平均化回路８０８−ｎは０と現スロット内干渉雑音電力８０７−ｎとの間で平均化処理を行う。このため、１スロット前の干渉雑音電力推定値が存在しない場合、干渉雑音電力スロット間平均化回路８０８−ｎは推定精度の低い干渉雑音電力８１１−ｎをＳＩＮＲ計算回路８１４に対して出力する。その結果、ＳＩＮＲの推定精度が低下し、復調信号の最大比合成精度が劣化することにより、ＣＤＭＡ受信装置の特性劣化を引き起こす。
【０００９】
そこで、本発明の目的は、１スロット前の干渉雑音電力推定値が存在しない場合でも、高精度に干渉雑音電力推定することにより、受信品質の劣化を防ぐことが可能なＣＤＭＡ受信装置を提供することにある。
【００１０】
【課題を解決するための手段】
本発明によるＣＤＭＡ受信装置は、各フィンガーについて受信信号の信号電力と干渉雑音電力を推定し、これらにより推定される信号電力対干渉雑音電力比を用いて復調信号の合成を行うＣＤＭＡ受信装置であって、
各フィンガーについて、現スロット内における干渉雑音電力を推定する干渉雑音電力計算手段と、
各フィンガーについて、現スロット以前で最後に有効であったスロットでの干渉雑音電力推定値が記憶される記憶手段と、
前記干渉雑音電力計算手段により推定された現スロット内における干渉雑音電力と、前記記憶手段に記憶された干渉雑音電力推定値とを平均化する平均化手段と、
各フィンガが無線リンク確立後、どのスロットで有効になったかを判定する
判定手段と、
前記判定手段の判定結果にしたがって前記干渉雑音電力計算手段で推定された現スロット内における干渉雑音電力を前記記憶手段に記憶させる切り替え手段とを含むことを特徴とする。
【００１１】
すなわち、本発明によれば１スロット前の干渉雑音電力推定値が存在しない場合でも、高精度に干渉雑音電力推定することにより、受信品質の劣化を防ぐことが可能となる。
【００１２】
本発明は、干渉雑音電力を高精度に推定することにより通信品質の改善を実現するＣＤＭＡ（符号分割多元接続）受信装置の構成を提案するものである。本発明によるＣＤＭＡ受信装置を図１に示す。
【００１３】
無線リンクの確立直後にフィンガーｎの１スロット前の干渉雑音電力推定値が存在しない場合、切り替え回路１１２は現スロット内干渉雑音電力１０７−ｎを過去スロット干渉雑音電力保存用メモリ１１０に対して出力するよう、スロット内干渉雑音電力出力制御回路１１５によって制御される。
【００１４】
さらに、１スロット前の干渉雑音電力は推定されていないが、過去スロットにおいて一度は推定された干渉雑音電力が存在する場合、過去スロット干渉雑音電力保存用メモリ１１０は最後に有効であったスロットの干渉雑音電力を保持する。
【００１５】
これにより、過去スロット干渉雑音電力保存用メモリ１１０から出力された干渉雑音電力１１１−ｎと現スロット内干渉雑音電力推定値１０７−ｎとの間でスロット間平均化処理を行い、高精度に干渉雑音電力を推定できる。
【００１６】
本発明で提案するＣＤＭＡ受信装置では、１スロット前において干渉雑音電力の推定値が存在しない状態でも、スロット間平均を行う干渉雑音電力を過去スロット干渉雑音電力保存用メモリ１１０に保持する構成の追加により、高精度に推定した干渉雑音電力を用いてＳＩＮＲを推定できるため、受信品質の劣化を防ぐことが可能となる。
【００１７】
【発明の実施の形態】
次に、本発明の実施の形態について添付図面を参照して説明する。まず、第１の実施の形態から説明する。図１は本発明に係るＣＤＭＡ受信装置の第１の実施の形態の構成図である。同図を参照すると、無線帯域に関する部分は、通信信号を受信するアンテナ部１００と、ベースバンド帯域に無線通信信号を周波数変換する無線受信部１０２とによって構成される。
【００１８】
ベースバンド信号を逆拡散復調する部分は、Ｎ個の復調回路１０４−１〜１０４−Ｎからなる。Ｎは自然数でフィンガー数に等しいが、ここではＮの数は問わないものとする。
【００１９】
干渉雑音電力を推定する部分は、現スロット内での干渉雑音電力を推定するＮ個のスロット内干渉雑音電力計算回路１０６−１〜１０６−Ｎと、過去のスロットにおいて推定された干渉雑音電力を保持するための過去スロット干渉雑音電力保存用メモリ１１０と、現スロット内干渉雑音電力と過去スロット干渉雑音電力保存用メモリ１１０に保持されている干渉雑音電力の間で、スロット間平均化処理を行うＮ個の干渉雑音電力スロット間平均化回路１０８−１〜１０８−Ｎとから構成される。
【００２０】
過去スロット干渉雑音電力保存用メモリ１１０は、干渉雑音電力が入力される毎に、直前まで保持していた干渉雑音電力を新しい値で上書きする。スロット内干渉雑音電力出力制御回路１１５は、Ｎ個の復調回路１０４−１〜１０４−Ｎから出力されるフィンガー状態通知信号１１４−１〜１１４−Ｎをもとに、スロット内干渉雑音電力出力制御信号１１６を生成して切り替え回路１１２へ出力する。
【００２１】
切り替え回路１１２はスロット内干渉雑音電力出力制御信号１１６をもとに、スロット内干渉雑音電力１０７−１〜１０７−Ｎの過去スロット干渉雑音電力保存用メモリ１１０に対する出力を切り替える。
【００２２】
Ｎ個の信号電力計算回路１１７−１〜１１７−Ｎは信号電力１１８−１〜１１８−Ｎを推定する。ＳＩＮＲ計算回路１１９は干渉雑音電力１０９−１〜１０９−Ｎおよび信号電力１１８−１〜１１８−Ｎから、Ｎ個の信号電力対干渉雑音電力比（ＳＩＮＲ）１２０−１〜１２０−Ｎを求め、最大比合成器１２１に対して出力する。最大比合成器１２１はフィンガー毎のＳＩＮＲ１２０−１〜１２０−Ｎを復調結果に対する重み付けとして用いて最大比合成を行い、合成結果を復号処理部１２３へ出力する。
【００２３】
次に、本発明によるＣＤＭＡ受信装置の第１の実施の形態の動作を、図１を用いて説明する。アンテナ部１００で受信された無線通信信号１０１は、無線受信部１０２によってベースバンド周波数帯域へ周波数変換される。そして、フィンガー数分、Ｎ分配されたベースバンド信号１０３−１〜１０３−Ｎは、復調回路１０４−１〜１０４−Ｎへ入力され、逆拡散復調される。
【００２４】
このとき、無効状態にあるフィンガーｋ（ｋはＮ以下の自然数）について、復調回路１０４−ｋより後段の処理は行われない。また、復調回路１０４−１〜１０４−Ｎは、各フィンガーについての状態を通知するためのフィンガー状態通知信号１１４−１〜１１４−Ｎをスロット内干渉雑音電力出力制御回路１１５に対して出力する。
【００２５】
フィンガー毎に生成された復調信号１０５−１〜１０５−Ｎは分配され、それぞれスロット内干渉雑音電力計算回路１０６−１〜１０６−Ｎと、信号電力計算回路１１７−１〜１１７−Ｎと、最大比合成器１２１とに入力される。干渉雑音電力および信号電力は、Ｎ個のフィンガーについてそれぞれ独立に推定される。
【００２６】
スロット内干渉雑音電力計算回路１０６−１〜１０６−Ｎは、現スロット内での干渉雑音電力を推定する。スロット内干渉雑音電力は、例えば前述の文献２に示されているように、パイロット信号を測定区間としたフェージング・エンベロップの平均値からの分散として推定することができるが、ここではスロット内干渉雑音電力の推定方法については問わない。現スロット内の干渉雑音電力１０７−１〜１０７−Ｎは、干渉雑音電力スロット間平均化回路１０８−１〜１０８−Ｎに入力されると同時に、切り替え回路１１２に入力される。
【００２７】
スロット内干渉雑音電力出力制御回路１１５では、フィンガー状態通知信号１１４−１〜１１４−Ｎにより、フィンガー毎の制御情報が含まれるスロット内干渉雑音電力出力制御信号１１６が出力される。フィンガー状態通知信号１１４−１〜１１４−Ｎに含まれる情報には、例えばフィンガーの有効・無効フラグやスロット番号などがある。
【００２８】
そして、フィンガー状態通知信号１１４−１〜１１４−Ｎに従い、スロット内干渉雑音電力出力制御回路１１５はスロット内干渉雑音電力出力制御信号１１６を出力する。スロット内干渉雑音電力出力制御信号１１６は各フィンガーの切り替え回路１１２に対する制御情報を含み、該当フィンガーが有効な場合のみ出力される。
【００２９】
スロット内干渉雑音電力出力制御信号１１６にはオンとオフの２種類あり、オンの制御信号は該当フィンガーが無線リンク確立後はじめて有効になるスロットにおいてのみ出力され、オフの制御信号はそれ以外で該当フィンガーが有効なスロットにおいて出力される。
【００３０】
スロット内干渉雑音電力出力制御信号１１６がオンのフィンガーｊ（ｊはＮ以下の自然数）についてのみ、切り替え回路１１２はスロット内干渉雑音電力１０７−ｊを過去スロット干渉雑音電力保存用メモリ１１０に対して出力する。
【００３１】
干渉雑音電力スロット間平均化回路１０８−１〜１０８−Ｎは、過去スロット干渉雑音電力保存用メモリ１１０に保持されている干渉雑音電力１１１−１〜１１１−Ｎと現スロット内干渉雑音電力１０７−１〜１０７−Ｎとの間でスロット間平均化処理を行う。スロット間平均化処理を行うために、忘却係数を用いて移動平均を求める。
【００３２】
この方法では、忘却係数をλとしたとき、例えば、
干渉雑音電力平均値＝（１−λ）×（現スロット内干渉雑音電力）＋λ×（過去スロットの干渉雑音電力）のように計算される。
【００３３】
信号電力は信号電力計算回路１１７−１〜１１７−Ｎによって推定され、ＳＩＮＲ計算回路１１９に対して出力される。例えば、前述の文献１に示されているように、１スロット内の信号電力はパイロット信号を測定区間としたフェージング・エンベロップの平均値の２乗として推定し、さらにスロット間で平均化処理を行うことができるが、ここでは推定方法については問わない。
【００３４】
ＳＩＮＲ計算回路１１９は入力された干渉雑音電力１０９−１〜１０９−Ｎおよび信号電力１１８−１〜１１８−Ｎを用いてフィンガー毎に信号電力対干渉雑音電力比（ＳＩＮＲ）１２０−１〜１２０−Ｎを推定し、最大比合成器１２１に対して出力する。最大比合成器１２１はフィンガー毎のＳＩＮＲ１２０−１〜１２０−Ｎを重み付けとして用いて復調信号の最大比合成を行い、合成結果１２２を復号処理部１２３へ出力する。
【００３５】
次に、干渉雑音電力の推定をより詳しく説明するため、現スロットにおいて有効なあるフィンガーｎについて考える。
【００３６】
１スロット前において、干渉雑音電力スロット間平均化回路１０８−ｎによりスロット間平均した干渉雑音電力が推定できていた場合、１スロット前のスロット間平均干渉雑音電力が過去スロット干渉雑音電力保存用メモリ１１０に保持されている。このとき、１スロット前と現スロット内における干渉雑音電力の間でスロット間平均化処理を行うことができ、平均結果１０９−ｎが過去スロット干渉雑音電力保存用メモリ１１０とＳＩＮＲ計算回路１１９に対して出力される。
【００３７】
一方、１スロット前において干渉雑音電力のスロット間平均値が推定できていない場合は、２通りのケースが考えられる。１つ目は無線リンク確立直後であり、過去の干渉雑音電力推定値が存在しない場合である。この場合は、前述のように切り替え回路１１２によって、現スロット内干渉雑音電力１０７−ｎが過去スロット干渉雑音電力保存用メモリ１１０に書き込まれる。この場合、干渉雑音電力スロット間平均化回路１０８−ｎは、現スロット内干渉雑音電力同士で平均化を行うこととなり、結果として現スロット内干渉雑音電力をＳＩＮＲ計算回路１１９に対して出力する。このような場合を図示したのが図５の干渉雑音電力の第１の推定例であり、スロット番号ではスロットＭに相当する。この場合、本発明により推定される干渉雑音電力は、スロットＭ内の干渉雑音電力推定値１０となる。
【００３８】
もう１つのケースは、過去に一度でも干渉雑音電力が推定できている場合であり、過去スロット干渉雑音電力保存用メモリ１１０には、フィンガーｎが現スロット以前で最後に有効であったスロットでの干渉雑音電力推定値が保持されている。このとき、最後に有効だったスロットと現スロット内の干渉雑音電力の間で干渉雑音電力スロット間平均化回路１０８−ｎはスロット間平均化処理を行う。
【００３９】
このような場合を図示したのが図６の干渉雑音電力の第２の推定例であり、スロット番号ではスロットＭに相当する。この場合、本発明により推定される干渉雑音電力はスロットＭ内での干渉雑音電力推定値１０およびスロットＭ−１７での推定値１３との間でスロット間平均した値となる。
【００４０】
次に、第２の実施の形態について図２を参照して説明する。図２は本発明に係るＣＤＭＡ受信装置の第２の実施の形態の構成図である。第２の実施の形態の構成は、図１に示される第１の実施の形態と比較して、干渉雑音電力をフィンガー間で平均化する回路が追加されている点で異なる。その他の構成部分は第１の実施の形態と同様である。
【００４１】
干渉雑音電力についてフィンガー間で平均化を行う部分は、干渉雑音電力フィンガー間平均化制御回路２２３と、切り替え回路２１０と、切り替え回路２１９と、干渉雑音電力フィンガー間平均化回路２２１とからなる。
【００４２】
次に、第２の実施の形態の動作について説明する。Ｎ個の干渉雑音電力スロット間平均化回路２０８−１〜２０８−Ｎによって出力された干渉雑音電力２０９−１〜２０９−Ｎは、２分配され切り替え回路２１０と切り替え回路２１９とに入力される。
【００４３】
干渉雑音電力フィンガー間平均化制御回路２２３は、Ｎ個の復調回路２０４−１〜２０４−Ｎから入力されたフィンガー状態通知信号２１２−１〜２１２−Ｎをもとに、どのフィンガーについてフィンガー間の平均化処理を行うかを制御する干渉雑音電力フィンガー間平均化制御信号２２４を、切り替え回路２１０および切り替え回路２１９に対して出力する。
【００４４】
干渉雑音電力フィンガー間平均化制御信号２２４は切り替え回路２１０および切り替え回路２１９に対する各フィンガーについての制御情報を含み、該当フィンガーが有効な場合のみ出力される。
【００４５】
干渉雑音電力フィンガー間平均化制御信号２２４にはオンとオフの２種類あり、オンの制御信号は該当フィンガーが一定時間連続して有効状態にある場合に出力され、オフの制御信号はそれ以外で該当フィンガーが有効な場合に出力される。このとき、有効状態の連続する時間は、干渉雑音電力について十分スロット間平均化処理できるものでなければならない。
【００４６】
ここで、干渉雑音電力フィンガー間平均化制御信号２２４がオンのあるフィンガーｋと、オフのあるフィンガーｍ（ｍはＮ以下の自然数）について考える。干渉雑音電力フィンガー間平均化制御信号２２４に基づき、切り替え回路２１９は干渉雑音電力２２０−ｋのみを干渉雑音電力フィンガー間平均化回路２２１へ出力する。
【００４７】
干渉雑音電力フィンガー間平均化回路２２１は、入力された干渉雑音電力２２０−ｋのフィンガー間平均２２２を推定し、切り替え回路２１０へ出力する。切り替え回路２１０はフィンガーｋについてスロット間平均干渉雑音電力２０９−ｋを出力し、フィンガーｍについてフィンガー間平均干渉雑音電力２２２をＳＩＮＲ計算回路２２７へ出力する。ただし、すべてのフィンガーについて制御信号がオフの場合、干渉雑音電力２０９−１〜２０９−ＮをＳＩＮＲ計算回路２２７へ出力することとする。
【００４８】
次に、本実施の形態による動作をより深く説明するため、図７の干渉雑音電力の第３の推定例で示される例における、スロットＭでの干渉雑音電力の推定を考える。この場合、干渉雑音電力フィンガー間平均化制御信号２２４はフィンガー番号１と３についてオンとなり、フィンガー番号２についてオフとなる。
【００４９】
そのため、切り替え回路２１０から出力される干渉雑音電力２１１−２は、フィンガー番号１と３のスロットＭにおける干渉雑音電力推定値である１０と１２のフィンガー間平均値１１となる。一方、干渉雑音電力２１１−１と２１１−３は、それぞれ１０、１２となる。
【００５０】
すなわち、第２の実施の形態によれば、１スロット前において干渉雑音電力推定値が存在しないフィンガーがある場合でも、最適な最大比合成ができる。その理由は、十分にスロット間平均化処理を行ったフィンガーの干渉雑音電力をフィンガー間平均するための構成を追加することにより、干渉雑音電力推定精度が向上するためである。
【００５１】
次に、第３の実施の形態について図３を参照して説明する。図３は本発明に係るＣＤＭＡ受信装置の第３の実施の形態の構成図である。第３の実施の形態の構成は、第１の実施例と比較して、１スロット前における干渉雑音電力推定値が存在しない場合、干渉雑音電力のスロット間平均化処理を一定時間行った後、復調信号を最大比合成に用いるための回路が追加されている点で異なる。
【００５２】
追加される構成は、合成処理遅延制御回路３１９と、切り替え回路３１０と、切り替え回路３２６である。また、過去スロット干渉雑音電力保存用メモリ１１０は１スロット前干渉雑音電力保存用メモリ３１７に変更されている。
【００５３】
これは、第３の実施の形態では、１スロット前での干渉雑音電力推定値が存在しないとき、十分にスロット間で干渉雑音電力を平均化した後、最大比合成に利用するため、第１の実施の形態のように過去の推定値を用いてスロット間平均化処理を行う必要がないからである。
【００５４】
次に、第３の実施の形態の動作について説明する。Ｎ個の干渉雑音電力スロット間平均化回路３０８−１〜３０８−Ｎによって出力された干渉雑音電力３０９−１〜３０９−Ｎは、切り替え回路３１０へ入力される。また、Ｎ個の復調回路３０４−１〜３０４−Ｎにより出力された復調信号３０５−１〜３０５−Ｎは切り替え回路３２６へ入力される。
【００５５】
合成処理遅延制御回路３１９は、復調回路３０４−１〜３０４−Ｎから入力されたフィンガー状態通知信号３１２−１〜３１２−Ｎをもとに、どのフィンガーを最大比合成に用いるかを制御する合成処理遅延制御信号３２０を、切り替え回路３１０と切り替え回路３２６とに対して出力する。
【００５６】
合成処理遅延制御信号３２０は切り替え回路３１０および切り替え回路３２６に対する各フィンガーについての制御情報を含み、該当フィンガーが有効な場合のみ出力される。合成処理遅延制御信号３２０にはオンとオフの２種類あり、オフの制御信号は１スロット前には無効状態にあった該当フィンガーが現スロットで有効になった場合、有効状態が一定時間連続するまでの間出力される。
【００５７】
オンの制御信号は該当フィンガーについて有効状態が一定時間連続した後、出力される。オンの制御信号は該当フィンガーが無効にならないかぎり、出力されつづける。このとき、有効状態の連続する時間は、干渉雑音電力について十分スロット間平均化処理できるものでなければならない。
【００５８】
ここで、あるフィンガーｎについて考える。切り替え回路３１０は、オフの合成処理遅延制御信号３２０が入力された場合、干渉雑音電力３１１−ｎおよび信号電力３２３−ｎをＳＩＮＲ計算回路３２４に対して出力しない。しかしながら、干渉雑音電力は１スロット前干渉雑音電力保存用メモリ３１７に入力され、保持されるため、次のスロットでの干渉雑音電力のスロット間平均化処理に用いることができる。
【００５９】
同様にして切り替え回路３２６は、オフの制御信号３２０が入力された場合、復調信号３０５−ｎを最大比合成器３２８に対して出力しない。したがって、合成処理遅延制御信号３２０がオフの間、フィンガーｎは干渉雑音電力と信号電力の推定のためのみに使われる。合成処理遅延制御信号３２０がオフからオンに変わった時点で、切り替え回路３１０は干渉雑音電力３１１−ｎと信号電力３２３−ｎをＳＩＮＲ計算回路３２４へ出力し、該当フィンガーについてのＳＩＮＲ推定を開始する。同時に、切り替え回路３２６は復調信号３２７−ｎを最大比合成器３２８へ出力し、推定したＳＩＮＲ３２５−ｎをもとに復調信号に対する最大比合成を行う。
【００６０】
すなわち、第３の実施の形態によれば、１スロット前において干渉雑音電力推定値が存在しないフィンガーがある場合でも、最適な最大比合成を行うことができる。その理由は、干渉雑音電力が十分にスロット間平均されるまでの間、該当フィンガーについて最大比合成を行わないための構成を追加することにより、常に高精度の干渉雑音電力を最大比合成に用いることができるためである。
【００６１】
最後に第４の実施の形態について図４を参照して説明する。図４は本発明に係るＣＤＭＡ受信装置の第４の実施の形態の構成図である。第４の実施の形態の構成は、第１の実施の形態と比較して、干渉雑音電力計算専用のフィンガーを備える点で異なる。
【００６２】
干渉雑音電力計算専用フィンガーを用いて干渉雑音電力の推定を行う部分は、干渉雑音電力計算専用フィンガー出力制御回路４１９と、切り替え回路４１６と、干渉雑音電力計算専用復調回路４１０と、スロット内干渉雑音電力計算回路４１２と、干渉雑音電力スロット間平均化回路４１４とからなる。
【００６３】
また、過去スロット干渉雑音電力保存用メモリ１１０は１スロット前干渉雑音電力保存用メモリ４２５に変更されている。これは、１スロット前の干渉雑音電力が存在しない場合、第１の実施例のように過去スロットの干渉雑音電力を用いてスロット間平均を行わなくとも、干渉雑音電力計算専用フィンガーが推定した高精度な干渉雑音電力をＳＩＮＲ推定に用いることができるからである。
【００６４】
次に、第４の実施の形態の動作について説明する。無線受信部４０２によって出力されたベースバンド信号は（Ｎ＋１）分配される。これは、受信信号復調のためのフィンガーＮ個に加えて、干渉雑音電力計算専用フィンガーへ分配するためである。ベースバンド信号４０３−１〜４０３−（Ｎ＋１）は、Ｎ個の復調回路４０４−１〜４０４−Ｎおよび干渉雑音電力計算専用復調回路４１０に入力される。
【００６５】
干渉雑音電力計算専用復調回路４１０は、設定された任意の同期タイミングをもとにベースバンド信号４０３−（Ｎ＋１）について逆拡散復調を行う。したがって、干渉雑音電力計算専用フィンガーにおいては、同期タイミングが検出されないなどの理由によって復調が行われないことがなく、常に有効状態にある。
【００６６】
したがって、干渉雑音電力計算専用フィンガーによる干渉雑音電力は、常にスロット間平均化処理が行われ高精度に推定される。干渉雑音電力計算専用復調回路４１０によって復調された復調信号４１１から、スロット内干渉雑音電力計算回路４１２は現スロット内での干渉雑音電力を推定し、干渉雑音電力スロット間平均化回路４１４により干渉雑音電力のスロット間平均化処理が行われる。干渉雑音電力スロット間平均値４１５は、干渉雑音電力計算専用フィンガー以外のフィンガーについての干渉雑音電力推定処理同様に、１スロット前干渉雑音電力保存用メモリ４２５に保持され、次のスロットでのスロット間平均処理に用いられる。
【００６７】
干渉雑音電力計算専用フィンガー出力制御回路４１９は、Ｎ個の復調回路４０４−１〜４０４−Ｎから入力されたフィンガー状態通知信号４１８−１〜４１８−Ｎをもとに、どのフィンガーについて干渉雑音電力計算専用フィンガーにより推定された干渉雑音電力を用いてＳＩＮＲ推定を行うかを制御する干渉雑音電力計算専用フィンガー出力制御信号４２０を切り替え回路４１６に対して出力する。
【００６８】
干渉雑音電力計算専用フィンガー出力制御信号４２０は、切り替え回路４１６に対する各フィンガーについての制御情報を含み、該当フィンガーが有効な場合のみ出力される。干渉雑音電力計算専用フィンガー出力制御信号４２０にはオンとオフの２種類あり、オンの制御信号は該当フィンガーが一定時間連続して有効状態にある場合に出力され、オフの制御信号はそれ以外で該当フィンガーが有効な場合に出力される。このとき、有効状態の連続する時間は、干渉雑音電力について十分スロット間平均化処理できるものでなければならない。
【００６９】
ここで、干渉雑音電力計算専用フィンガー出力制御信号４２０がオンのあるフィンガーｋと、オフのあるフィンガーｍについて考える。切り替え回路４１６は干渉雑音電力４１７−ｍについて、干渉雑音電力専用フィンガーによって推定された干渉雑音電力４１５をＳＩＮＲ計算回路４３０に出力する。一方、干渉雑音電力４１７−ｋについては、フィンガーｋによってスロット間平均化処理された干渉雑音電力４０９−ｋをＳＩＮＲ計算回路４３０へ出力する。
【００７０】
第４の実施の形態によれば、１スロット前において干渉雑音電力推定値が存在しないフィンガーがある場合でも、最適な最大比合成を行うことができる。その理由は、干渉雑音電力計算専用フィンガーにおいて常にスロット間平均化処理を行う構成を追加することにより、干渉雑音電力推定精度が向上するためである。
【００７１】
【発明の効果】
以上説明したように本発明によるＣＤＭＡ受信装置は、各フィンガーについて、現スロット内における干渉雑音電力を推定する干渉雑音電力計算手段と、各フィンガーについて、現スロット以前で最後に有効であったスロットでの干渉雑音電力推定値が記憶される記憶手段と、前記干渉雑音電力計算手段により推定された現スロット内における干渉雑音電力と、前記記憶手段に記憶された干渉雑音電力推定値とを平均化する平均化手段と、各フィンガーが無線リンク確立後、どのスロットで有効になったかを判定する判定手段と、前記判定手段の判定結果にしたがって前記干渉雑音電力計算手段で推定された現スロット内における干渉雑音電力を前記記憶手段に記憶させる切り替え手段とを含むため、１スロット前の干渉雑音電力推定値が存在しない場合でも、高精度に干渉雑音電力推定することにより、受信品質の劣化を防ぐことが可能となる。
【００７２】
すなわち、本発明によれば、無線リンクの確立直後や、フィンガーが一旦無効になった後に再度有効になる場合など、１スロット前において干渉雑音電力の推定値が存在しない状態でも、最適な最大比合成を行うことができる。その理由は、スロット間平均化処理を行う対象の干渉雑音電力を過去スロット干渉雑音電力保存用メモリ１１０に常に保持する構成を追加することにより、干渉雑音電力推定精度が向上するためである。
【図面の簡単な説明】
【図１】本発明に係るＣＤＭＡ受信装置の第１の実施の形態の構成図である。
【図２】本発明に係るＣＤＭＡ受信装置の第２の実施の形態の構成図である。
【図３】本発明に係るＣＤＭＡ受信装置の第３の実施の形態の構成図である。
【図４】本発明に係るＣＤＭＡ受信装置の第４の実施の形態の構成図である。
【図５】干渉雑音電力の第１の推定例を示す図である。
【図６】干渉雑音電力の第２の推定例を示す図である。
【図７】干渉雑音電力の第３の推定例を示す図である。
【図８】従来の受信装置の一例の構成図である。
【符号の説明】
１０６，２０６　スロット内干渉雑音電力計算回路
３０６，４０６　スロット内干渉雑音電力計算回路
２０８，３０８，４０８　干渉雑音電力スロット間平均化回路
１１０，２１７　過去スロット干渉雑音電力保存用メモリ
１１２，２１０，２１５，２１９　切り替え回路
３１０，３１５，４１６，４２３　切り替え回路
１１５，２１３，３１３，４２１　スロット内干渉雑音電力出力制御回路
２２１　干渉雑音電力フィンガー間平均化回路
２２３　干渉雑音電力フィンガー間平均化制御回路
３１７　１スロット前干渉雑音電力保存用メモリ
３１９　合成処理遅延制御回路
４１２　スロット内干渉雑音電力出力制御回路
４１４　干渉雑音電力スロット間平均化回路
４１９　干渉雑音電力計算専用フィンガー出力制回路
【図１】
2004015777.tif 000002
【図２】
2004015777.tif 000003
【図３】
2004015777.tif 000004
【図４】
2004015777.tif 000005
【図５】
2004015777.tif 000006
【図６】
2004015777.tif 000007
【図７】
2004015777.tif 000008
【図８】
2004015777.tif 000009